(57)【要約】【課題】  本発明は、暗証番号の漏洩を防ぎつつ、短時間で暗証番号を入力することができる暗証番号入力装置および入力方法を提供することを目的とする。【解決手段】  本発明の暗証番号入力装置は、数字を表示する表示部３と、前記表示部３に表示される数字を変更する選択キー１と、前記表示部３に表示された数字を入力すべき数字として確定する確定キー２と、前記表示部３の制御を行う表示制御部４と、を備え、前記表示制御部４は、前記選択キー１の操作毎に、異なる数字を前記表示部３に表示させるものである。【選択図】  図１
2006039609.tif 000002
【特許請求の範囲】
【請求項１】
数字を表示する表示部と、
前記表示部に表示される数字を変更する選択キーと、
前記表示部に表示された数字を入力すべき数字として確定する確定キーと、
前記表示部の制御を行う表示制御部と、を備え、
前記表示制御部は、前記選択キーの操作毎に、異なる数字を前記表示部に表示させる暗証番号入力装置。
【請求項２】
請求項１記載の暗証番号入力装置であって、
前記表示制御部は、少なくとも前記選択キーの最初の操作時には、ランダムな数字を表示させる暗証番号入力装置。
【請求項３】
請求項２記載の暗証番号入力装置であって、
前記表示制御部は、前記選択キーの最初の操作以外の操作時には、昇順又は降順に数字を表示させる暗証番号入力装置。
【請求項４】
請求項２記載の暗証番号入力装置であって、
前記表示制御部は、前記選択キーの操作時には、常にランダムな数字を表示させる暗証番号入力装置。
【請求項５】
選択キーの操作を検出する毎に、異なる数字を表示部に表示する数字表示ステップと、
確定キーの操作を検出した時に、前記表示部に表示された数字を入力すべき数字として確定する数字確定ステップと、
前記数字確定ステップ確定した数字を、暗証番号を構成する数字として入力する数字入力ステップと、
を備える暗証番号入力方法。
【請求項６】
請求項５記載の暗証番号入力方法であって、
前記数字表示ステップは、少なくとも前記選択キーの最初の操作時には、ランダムな数字を表示させる暗証番号入力方法。
【請求項７】
請求項６記載の暗証番号入力方法であって、
前記数字表示ステップは、前記選択キーの最初の操作以外の操作時には、昇順又は降順に数字を表示させる暗証番号入力方法。
【請求項８】
請求項６記載の暗証番号入力方法であって、
前記数字表示ステップは、前記選択キーの操作時には、常にランダムな数字を表示させる暗証番号入力方法。
【発明の詳細な説明】
【技術分野】
【０００１】
本発明は、本人確認等に使用される暗証番号を入力するための暗証番号入力装置及び入力方法に関するものである。
【背景技術】
【０００２】
本人確認等に使用される暗証番号を入力するための暗証入力装置として、金融機関の店舗等に設置されているＡＴＭ（自動取引装置）に用いられているものが知られている。
【０００３】
一般に、暗証番号は、０から９の数字に対応するキーを備えた数字キーを操作することにより入力される。しかしながら、数字キーの数字の配列がほとんどの暗証番号入力装置において同じであるため、暗証番号が操作者の指の位置や動きから他者に推測される可能性がある。
【０００４】
暗証番号が操作者の指の位置や動きから他者に推測されないようにするものとして特許文献１の暗証番号入力装置がある。特許文献１の暗証番号入力装置は、操作者が選択キーの押下を開始すると、操作者が選択キーを押下している間は表示部に暗証番号の候補となる異なる数字が順次表示され、暗証番号として入力したい数字が表示されたときに選択キーを開放し、確定キーを押下して表示部に表示されている数字を暗証番号として入力するものである。
【０００５】
図４（a）に、特許文献１の暗証番号入力装置における暗証番号入力のタイムチャートを示す。表示部に表示される数字を変更する時間間隔ｔ１は予め設定されており、設定された時間間隔ｔ１の経過毎に表示部に表示される数字を変更する。図示のように、表示部に表示される数字を「３」、「４」、「５」・・・のように変更する場合において、暗証番号として「５」を入力したい場合、操作者は、表示部に「３」、「４」が表示されている時間間隔（ｔ１＋ｔ１）の間は選択キーを押下し続け、表示部に「５」が表示された時点で選択キーを開放し、確定キーを押下して「５」を入力する。この暗証番号入力装置によれば、操作者の指の位置や動きから操作者が入力した暗証番号を判別することが困難であるため、暗証番号の漏洩を防ぐことができる。
【特許文献１】特開２００１−３０６８２６
【発明の開示】
【発明が解決しようとする課題】
【０００６】
しかしながら、上述の暗証番号入力装置において、選択キーの開放が遅れた場合に入力したい数字が別の数字に変更されてしまうことを防ぐため、時間間隔ｔ１を短く設定することができない。このため、入力したい数字が出現する迄に時間がかかり、また、暗証番号として入力する桁が多い場合には、上記操作を桁数分繰り返す必要があるため、暗証番号を構成する全ての桁の入力が終了する迄に相当の時間を必要とすることになる。
【０００７】
本発明は、上記事情に鑑みてなされてもので、暗証番号の漏洩を防ぎつつ、短時間で暗証番号を入力することができる暗証番号入力装置および入力方法を提供することを目的とする。
【課題を解決するための手段】
【０００８】
本発明の暗証番号入力装置は、数字を表示する表示部と、前記表示部に表示される数字を変更する選択キーと、前記表示部に表示された数字を入力すべき数字として確定する確定キーと、前記表示部の制御を行う表示制御部と、を備え、前記表示制御部は、前記選択キーの操作毎に、異なる数字を前記表示部に表示させるものである。
【０００９】
本発明の暗証番号入力方法は、選択キーの操作を検出する毎に、異なる数字を表示部に表示する数字表示ステップと、確定キーの操作を検出した時に、前記表示部に表示された数字を入力すべき数字として確定する数字確定ステップと、前記数字確定ステップ確定した数字を、暗証番号を構成する数字として入力する数字入力ステップと、を備えるものである。
【００１０】
この構成によれば、表示部に表示させる数字を選択キーの押下毎に変更することにより、表示部に表示させる時間を任意に可変できるため、表示時間が固定的に設定された従来技術に比べて暗証番号の入力時間の短縮が可能となる。
【００１１】
また、本発明の暗証番号入力装置は、前記表示制御部が、少なくとも前記選択キーの最初の操作時には、ランダムな数字を表示させるものを含む。
【００１２】
また、本発明の暗証番号入力装置は、前記表示制御部が、前記選択キーの最初の操作以外の操作時には、昇順又は降順に数字を表示させるものを含む。
【００１３】
また、本発明の暗証番号入力装置は、前記表示制御部が、前記選択キーの操作時には、常にランダムな数字を表示させるものを含む。
【００１４】
また、本発明の暗証番号入力方法は、前記数字表示ステップが、少なくとも前記選択キーの最初の操作時には、ランダムな数字を表示させるものを含む。
【００１５】
また、本発明の暗証番号入力方法は、前記数字表示ステップが、前記選択キーの最初の操作以外の操作時には、昇順又は降順に数字を表示させるものを含む。
【００１６】
また、本発明の暗証番号入力方法は、前記数字表示ステップが、前記選択キーの操作時には、常にランダムな数字を表示させるものを含む。
【００１７】
この構成によれば、表示部に表示される数字をランダムに変更するため、選択キーを押下する回数に基づく暗証番号の推測を困難にすることができる。
【発明の効果】
【００１８】
本発明によれば、表示部に表示させる数字を選択キーの押下毎に変更することにより、表示部に表示させる時間を任意に可変できるため、表示時間が固定的に設定された従来技術に比べて暗証番号の入力時間の短縮が可能となる。また、表示部に表示される数字をランダムに変更させることで、選択キーを押下する回数に基づく暗証番号の推測を困難にすることができる。
【発明を実施するための最良の形態】
【００１９】
本発明の実施の携帯を図面を参照して詳細に説明する。
図１に、本発明の実施の形態の暗証番号入力装置の概略図を示す。図１に示すように、本発明の実施の形態の暗証番号入力装置は、数字を変更する選択キー１と、変更した数字を入力すべき数字として確定する確定キー２と、選択中の１桁の数字を表示する表示部３ａと確定した４桁の数字を逐次表示する表示部３ｂからなる表示部３と、選択キー１が押下される度に異なる数字を表示部３ａに表示させる制御部４とを含んで構成されている。  制御部４は、表示部３ａに表示する数字をランダムな数字から開始する制御も行う。
【００２０】
図２に、本発明の実施の形態の暗証番号入力装置を用いて暗証番号を入力する際の動作フローを示し、図３に、本発明の実施の形態の暗証番号入力装置の表示部の表示例を示す。
【００２１】
図２に示すように、暗証番号の入力を開始する場合は、操作者は選択キー１を押下する（Ｓ１０１）。このとき制御部４は、選択キーが押下されたことを検知すると、図３（ａ）に示すように表示部３ａに１桁の数字Ｎを表示させる（Ｓ１０２）。この数字Ｎは０から９の数字の中からランダムな数字が選択される。ランダムな数字から暗証番号の入力を開始することにより、選択キーを押下する回数に基づく暗証番号の推測を困難にすることができる。ランダムな数字を選択する方法としては、例えば、乱数発生手段により乱数を発生させる方法等が考えられる。
【００２２】
次に、選択キーは押下状態から開放され、再度押下できるよう開放状態になる（Ｓ１０３）。操作者は、表示部３ａに表示された数字が入力したい数字かどうか、すなわち暗証番号の１桁目であるかどうかを判断する（Ｓ１０４）。入力したい数字でない場合は、Ｓ１０１へ戻り、再度選択キー１を押下する。制御部４は、選択キー１か押下されたことを検知する度に、表示部３ａに表示される数字Ｎを変更させていく。変更させる順番は０→１→２→・・・・→９のように数字の昇順に変更させても良いし、降順に変更させても良いし、さらにランダムに変更させても良い。
【００２３】
Ｓ１０１及びＳ１０４の手順を繰り返して、表示部３ａに入力したい数字が表示されると、操作者は確定キー２を押下する（Ｓ１０５）。制御部４は確定キーが押下されたことを検知すると、表示部３ａに表示されていた数字を暗証番号の１桁目の入力として表示部３ｂに表示する。図３（ｂ）に示すように、暗証番号として入力した数字が他人に見られないようにするために、数字の代わりに＊を表示するようにしても良い。
【００２４】
次に、制御部４は暗証番号の入力が４桁目まで終了したかどうかを判断する（Ｓ１０６）。暗証番号の入力が４桁目まで終了していない場合は、操作者は再度選択キー１を押下し、暗証番号の２桁目の入力を開始する（Ｓ１０１）。このとき表示部３の表示は図３（ｃ）に示す表示となり、以下１桁目を入力するときと同じ手順を繰り返すことによって、４桁目までの暗証番号入力を行う。暗証番号の入力が４桁目まで終了すると、表示部３の表示は図３（ｄ）に示す表示となり、暗証番号の入力を終了する。
【００２５】
図４（ｂ）に、本発明の実施の形態の暗証番号入力装置における暗証番号入力のタイムチャートを示す。図４（ｂ）に示すように、入力したい数字「５」が表示される迄に、表示部に「３」、「４」を表示させる必要がある。しかし、各数字の表示時間を選択キーの押下間隔で任意に可変することができるため、数字の表示時間ｔ２、ｔ３を従来固定的に設定されていた時間ｔ１よりも短縮することで、従来であれば「５」を表示する迄に表示時間（ｔ１＋ｔ１）を必要としていたのに対して、表示時間（ｔ２＋ｔ３）＜（ｔ１＋ｔ１）を実現することができ、暗証番号の入力にかかる時間を短縮することができる。
【産業上の利用可能性】
【００２６】
本発明の暗証番号入力装置および入力方法は、表示部に表示させる数字を選択キーの押下毎に変更することにより、表示部に表示させる時間を任意に可変できるため、表示時間が固定的に設定された従来技術に比べて暗証番号の入力時間の短縮が可能となるという効果を有し、本人確認等に使用される暗証番号を入力するための暗証番号入力装置および入力方法等として有用である。
【図面の簡単な説明】
【００２７】
【図１】本発明の実施の形態の暗証番号入力装置の概略図
【図２】本発明の実施の形態の暗証番号入力装置を用いて暗証番号を入力する際の動作フロー
【図３】本発明の実施の形態の暗証番号入力装置の表示部の表示例
【図４】従来の暗証番号入力装置における暗証番号入力のタイムチャート（ａ）、及び、本発明の実施の形態の暗証番号入力装置における暗証番号入力のタイムチャート（ｂ）
【符号の説明】
【００２８】
１    選択キー
２    確定キー
３    表示部
３ａ  選択中の数字の表示部
３ｂ  確定した数字の表示部
４    制御部
【図１】
2006039609.tif 000003
【図２】
2006039609.tif 000004
【図３】
2006039609.tif 000005
【図４】
2006039609.tif 000006